(57)【要約】【課題】流水部と表示ユニットを簡単に一体に組み立てることができ、かつ簡単に分解することができる水道メータ並びにその組立方法及び分解方法を提供する。【解決手段】水道メータ１００は、流水部１の開口部１４に受圧板２を固定する受圧板固定リング３と、受圧板固定リング３の内側に配置した表示ユニット４と、受圧板固定リング３の側周部に設けたスリット３４を貫通し、かつ表示ユニット４の側周部に設けた第１溝部４５に挿入された固定プレート５とを備える。【選択図】図１
2016180606.tif 000002
【特許請求の範囲】
【請求項１】
流水部の開口部に受圧板を固定する受圧板固定リングと、
前記受圧板固定リングの内側に配置した表示ユニットと、
前記受圧板固定リングの側周部に設けたスリットを貫通し、かつ前記表示ユニットの側周部に設けた第１溝部に挿入された固定プレートと、
を備える水道メータ。
【請求項２】
前記固定プレートの端部はテーパ状であり、該端部と前記第１溝部の底部との間に間隙が形成されていることを特徴とする請求項１記載の水道メータ。
【請求項３】
前記表示ユニットの側周部を覆うカバーを備え、
前記スリットは、前記受圧板固定リングの側周部に設けた第２溝部の底部に設けられ、
前記カバーに設けたカバー係止爪部が前記第２溝部に係止され、かつ該カバー係止爪部の先端部が前記固定プレートに当接している
ことを特徴とする請求項１又は請求項２記載の水道メータ。
【請求項４】
前記受圧板固定リングの外周部に設けた止め輪を備え、
前記固定プレートは、前記止め輪の内周部に設けたリブにより構成されている
ことを特徴とする請求項１記載の水道メータ。
【請求項５】
前記止め輪は、一端部に係止爪部を有しかつ他端部に被係止部を有する２つの半円弧状の部材を組み合わせてなることを特徴とする請求項４記載の水道メータ。
【請求項６】
請求項１記載の水道メータの組立方法であって、
前記受圧板固定リングの内側に前記表示ユニットを配置する第１ステップと、
前記固定プレートを、前記スリットを貫通して前記第１溝部に挿入する第２ステップと、
を備えることを特徴とする水道メータの組立方法。
【請求項７】
請求項１記載の水道メータの分解方法であって、
前記固定プレートを前記第１溝部及び前記スリットから抜き取る第１ステップと、
前記表示ユニットを前記受圧板固定リングから取り外す第２ステップと、
を備えることを特徴とする水道メータの分解方法。
【請求項８】
請求項２記載の水道メータの分解方法であって、
前記固定プレートを前記第１溝部及び前記スリットから抜き取る第１ステップと、
前記表示ユニットを前記受圧板固定リングから取り外す第２ステップと、を備え、
前記第１ステップにおいて、前記固定プレートの一方の前記端部を押し込むことで他方の前記端部が前記スリットから飛び出した状態としてから、前記固定プレートの抜き取りを行う
ことを特徴とする水道メータの分解方法。
【発明の詳細な説明】
【技術分野】
【０００１】
本発明は、水道の使用流量を計測する水道メータに関するものである。
【背景技術】
【０００２】
従来、流水部と表示ユニットとの間に受圧板を設けて流水部から表示ユニットへの水の侵入を防止した、いわゆる「乾式」の水道メータが開発されている。流水部内には羽根車が配置されており、流水部内の水流に応じて回転する。羽根車の回転は例えばマグネットカップリングにより表示ユニットに伝達され、回転数に応じて表示ユニットに収容したカウンタの数字が変化する。
【０００３】
一般に、乾式水道メータの流水部と表示ユニットとは別部材で構成されている。乾式水道メータの組立時には、受圧板固定リングを用いて受圧板を流水部に固定し、この受圧板固定リングに表示ユニットを取り付ける。特許文献１には、乾式水道メータの受圧板固定リングに表示ユニットを取り付ける取付構造が開示されている。
【０００４】
特許文献１の乾式水道メータは、流水部（下部ケース）に固定される受圧板固定リングに弾性変形可能な複数の係止爪部が形成され、表示ユニット（積算流量表示ユニット）の外ケースに被係止部が形成されている。下部ケースに固定された受圧板固定リングに対して積算流量表示ユニットを押し付けることにより、複数の係止爪部が被係止部に係止されて、受圧板固定リングに対して積算流量表示ユニットが一体に取り付けられる構造である。
【先行技術文献】
【特許文献】
【０００５】
【特許文献１】特開２０１４−５５８２８号公報
【発明の概要】
【発明が解決しようとする課題】
【０００６】
水道メータの製造時には、流水部と表示ユニットを一体に組み立てた後、再調整などのために両者を分解し、再び組み立てる場合がある。また、水道メータの検査時にも、流水部と表示ユニットを分解し、両者を再び組み立てる場合がある。
【０００７】
特許文献１の乾式水道メータは、流水部と表示ユニットを分解する際、係止爪部を被係止部から外す工程において、作業者が係止爪部の爪の劣化及び折れなどに注意を要する。すなわち、特許文献１の乾式水道メータは一度組み立てると分解が困難であるため、分解にかかる時間が増大し、水道メータの製造及び検査に時間がかかる課題があった。
【０００８】
本発明は、上記のような課題を解決するためになされたものであり、流水部と表示ユニットを簡単に一体に組み立てることができ、かつ簡単に分解することができる水道メータ並びにその組立方法及び分解方法を提供することを目的とする。
【課題を解決するための手段】
【０００９】
本発明の水道メータは、流水部の開口部に受圧板を固定する受圧板固定リングと、受圧板固定リングの内側に配置した表示ユニットと、受圧板固定リングの側周部に設けたスリットを貫通し、かつ表示ユニットの側周部に設けた第１溝部に挿入された固定プレートと、を備えるものである。
【００１０】
本発明に係る水道メータの組立方法は、受圧板固定リングの内側に表示ユニットを配置する第１ステップと、固定プレートを、スリットを貫通して第１溝部に挿入する第２ステップと、を備えるものである。
【００１１】
本発明に係る水道メータの分解方法は、固定プレートを第１溝部及びスリットから抜き取る第１ステップと、表示ユニットを受圧板固定リングから取り外す第２ステップと、を備えるものである。
【発明の効果】
【００１２】
本発明の水道メータは、固定プレートを用いて表示ユニットを受圧板固定リングに固定する構造により、流水部と表示ユニットを簡単に一体に組み立てることができ、かつ簡単に分解することができる。
【図面の簡単な説明】
【００１３】
【図１】本発明の実施の形態１に係る水道メータの要部を示す分解斜視図である。
【図２】本発明の実施の形態１に係る水道メータの要部を示す分解断面図である。
【図３】本発明の実施の形態１に係る受圧板固定リング、表示ユニット、固定プレート及びカバーを示す斜視図である。
【図４】本発明の実施の形態１に係る固定プレート及びカバー係止爪部を含む領域を拡大した断面図である。
【図５】本発明の実施の形態１に係る固定プレート及びカバー係止爪部を含む領域を拡大した平面図である。
【図６】本発明の実施の形態１に係る水道メータの要部の組立方法を示す説明図である。
【図７】本発明の実施の形態１に係る水道メータの要部の組立方法を示す説明図である。
【図８】本発明の実施の形態１に係る水道メータの要部の分解方法を示す説明図である。
【図９】本発明の実施の形態１に係る水道メータの要部の分解方法を示す説明図である。
【図１０】本発明の実施の形態２に係る水道メータの要部を示す斜視図である。
【図１１】本発明の実施の形態２に係る止め輪の係止爪部及び被係止部を含む領域の拡大図である。
【図１２】本発明の実施の形態２に係る止め輪及び固定プレートを含む領域の拡大図である。
【図１３】本発明の実施の形態２に係る水道メータの要部の分解斜視図である。
【発明を実施するための形態】
【００１４】
実施の形態１．
図１は水道メータ１００の要部の分解斜視図であり、図２はその断面図である。図３は受圧板固定リング３、表示ユニット４、固定プレート５及びカバー６の斜視図である。図４は固定プレート５及びカバー係止爪部６１を含む領域の断面図であり、図５はその平面図である。図１〜図５を参照して、本発明の実施の形態１の水道メータ１００について説明する。
【００１５】
図中、１は流水部である。流水部１は、中空の本体部１１と、本体部１１から延伸された流入管１２及び流出管１３を有している。本体部１１の中空部は流入管１２及び流出管１３と連通しており、内部を水道水が流れるようになっている。また、本体部１１内には図示しない羽根車が配置されており、流水部１内の水流に応じて回転するようになっている。
【００１６】
本体部１１には、略円形の開口部１４が形成されている。開口部１４は略円盤状の受圧板２で塞がれており、受圧板２は受圧板固定リング３により開口部１４に固定されている。すなわち、受圧板固定リング３の外周部に雄螺子部３１が形成されており、開口部１４の内周部に設けた雌螺子部１５と螺合している。
【００１７】
受圧板固定リング３の内側に表示ユニット４が配置されている。具体的には、表示ユニット４は有底筒状のケース４１を有し、受圧板固定リング３にケース４１の底部が挿通されて配置されている。表示ユニット４は、ケース４１内にカウンタ４２などを収容し、ケース４１の開口部を蓋部４３で覆っている。蓋部４３は透明部材で構成された窓部４４を有しており、カウンタ４２の数字などを外部から視認できるようになっている。
【００１８】
カウンタ４２が示す数字は、流水部１の本体部１１内に配置した羽根車の回転数に応じて変化するようになっている。このとき、本体部１１は受圧板２により水密されており、流水部１から表示ユニット４に水が浸入しないようになっている。
【００１９】
ここで、受圧板固定リング３は、開口部１４から突出したリング状の突条３２を有している。突条３２の外周部の全周に亘って第２溝部３３が設けられており、第２溝部３３の底部には２個のスリット３４が穿設されている。また、ケース４１の外周部の全周に亘って第１溝部４５が設けられている。スリット３４は第１溝部４５と連通しており、固定プレート５がスリット３４を貫通して第１溝部４５に挿入されている。固定プレート５により、表示ユニット４は受圧板固定リング３に対して、図１及び図２に示す軸心Ａに沿う方向に固定されつつ、軸心Ａを中心に回動自在に支持されている。
【００２０】
図５に示す如く、固定プレート５は受圧板固定リング３の側周部の曲率に応じた円弧の一部を切り取ってなる形状である。さらに、固定プレート５の端部５１ａ，５１ｂはテーパ状に形成されており、端部５１ａ，５１ｂが第１溝部４５の底部４６と対向している。これにより、端部５１ａ，５１ｂと底部４６との間に間隙５２ａ，５２ｂが形成されている。なお、図１〜図５では、２個のスリット３４にそれぞれ１個の固定プレート５を貫通した例を示している。
【００２１】
表示ユニット４の少なくとも側周部はカバー６で覆われている。カバー６には可撓性を有するカバー係止爪部６１が設けられており、カバー係止爪部６１が受圧板固定リング３の第２溝部３３に係止されている。
【００２２】
ここで、カバー６の周方向に沿うカバー係止爪部６１の配置は、受圧板固定リング３の周方向に沿うスリット３４の配置と対応している。これにより、図４及び図５に示す如く、第２溝部３３に係止されたカバー係止爪部６１の先端部がスリット３４内の固定プレート５に当接し、固定プレート５の脱落を防止するストッパの機能を果たしている。また、カバー係止爪部６１は、受圧板固定リング３に対してカバー６が回転してもいずれかのカバー係止爪部６１の先端部が固定プレート５に当接するように配置されている。
【００２３】
次に、図６及び図７を参照して、このように構成された水道メータ１００の要部の組立方法について説明する。
まず、流水部１の開口部１４を受圧板２で塞ぎ、受圧板固定リング３により固定する。
【００２４】
次いで、図６に矢印Ｂで示す如く、受圧板固定リング３の内側に表示ユニット４を配置する（第１ステップ）。次いで、図６に矢印Ｃで示す如く、固定プレート５を、スリット３４を貫通して第１溝部４５に挿入する（第２ステップ）。これにより、表示ユニット４は受圧板固定リング３に対して、軸心Ａに沿う方向に固定されつつ、図６に矢印Ｄで示す如く軸心Ａを中心に回動自在に支持される。
【００２５】
次いで、図７に矢印Ｅで示す如く、表示ユニット４にカバー６を被せる。このとき、カバー係止爪部６１が撓んで受圧板固定リング３の第２溝部３３に係止され、カバー６が受圧板固定リング３に固定される。また、カバー係止爪部６１の先端部がスリット３４内の固定プレート５に当接し、固定プレート５の脱落を防止するストッパの機能を果たすようになる。
【００２６】
次に、図８及び図９を参照して、水道メータ１００の要部の分解方法について説明する。
まず、受圧板固定リング３からカバー６を取り外す。このとき、カバー係止爪部６１が撓んで第２溝部３３との係止が外れる。
【００２７】
次いで、図８に矢印Ｆで示す如く、第１溝部４５及びスリット３４から固定プレート５を抜き取る（第１ステップ）。このとき、固定プレート５の端部５１ａ，５１ｂと第１溝部４５の底部４６との間に間隙５２ａ，５２ｂが存在するため、図９（ａ）に矢印Ｇで示す如く一方の端部５１ａを表示ユニット４に向けて押し込むと、固定プレート５が回転して、図９（ｂ）に矢印Ｈで示す如く他方の端部５１ｂがスリット３４から抜け出すようになっている。端部５１ｂがスリット３４から飛び出した状態で、固定プレート５を容易に抜き取ることができる。
【００２８】
固定プレート５を抜き取ることで、図８に矢印Ｉで示す如く、受圧板固定リング３に対して表示ユニット４が着脱自在になる。次いで、表示ユニット４を受圧板固定リング３から取り外す（第２ステップ）。
【００２９】
以上のように、実施の形態１の水道メータ１００は、流水部１の開口部１４に受圧板２を固定する受圧板固定リング３と、受圧板固定リング３の内側に配置した表示ユニット４と、受圧板固定リング３の側周部に設けたスリット３４を貫通し、かつ表示ユニット４の側周部に設けた第１溝部４５に挿入された固定プレート５とを備える。
固定プレート５を用いて表示ユニット４を受圧板固定リング３に固定する構造により、流水部１と表示ユニット４を簡単に一体に組み立てることができ、かつ簡単に分解することができる。特に、特許文献１の乾式水道メータと比べて分解にかかる時間が短くなるため、水道メータ１００の製造及び検査などの工程時間を短縮し、製品単価を下げることができる。さらに、特許文献１の乾式水道メータと比べて分解時に部品の破損が生じにくく、設置後の製品の品質を安定させることができる。
【００３０】
また、固定プレート５の端部５１ａ，５１ｂはテーパ状であり、端部５１ａ，５１ｂと第１溝部４５の底部４６との間に間隙５２ａ，５２ｂが形成されている。これにより、流水部１と表示ユニット４を分解する工程において、一方の端部５１ａを表示ユニット４に向けて押し込むと、固定プレート５が回転して他方の端部５１ｂがスリット３４から抜け出すようになる。端部５１ｂがスリット３４から飛び出した状態で固定プレート５を抜き取ることで、流水部１と表示ユニット４をより簡単に分解することができる。
【００３１】
また、水道メータ１００は、表示ユニット４の側周部を覆うカバー６を備える。スリット３４は、受圧板固定リング３の側周部に設けた第２溝部３３の底部に設けられている。カバー６に設けたカバー係止爪部６１が第２溝部３３に係止され、かつカバー係止爪部６１の先端部が固定プレート５に当接している。カバー係止爪部６１がストッパの機能を果たすことで、固定プレート５の脱落を防止することができる。
【００３２】
なお、流水部１の形状は図１〜図５に示す形状に限定されるものではなく、表示ユニット４の内部構造は図１〜図５に示す構造に限定されるものではない。一般的な乾式の水道メータを構成するものであれば、如何なる形状の流水部１を用いても良く、如何なる内部構造の表示ユニット４を用いても良い。
【００３３】
また、表示ユニット４はカウンタ４２に代えてマイコンを収容し、水道の使用流量を液晶表示する、いわゆる「電子式」の水道メータを構成したものであっても良い。
【００３４】
また、スリット３４の個数は２個に限定されるものではない。少なくとも１個のスリット３４を設けた構造であれば良く、３個以上のスリット３４を設けても良い。また、固定プレート５の個数も２個に限定されるものではなく、スリット３４の個数及び大きさなどに応じて如何なる個数の固定プレート５を用いても良い。
【００３５】
また、固定プレート５の形状は、図１〜図５に示す形状に限定されるものではない。少なくとも一方の端部と第１溝部４５の底部４６との間に間隙が形成され、水道メータ１００の分解時に一方の端部を押し込むことで他方の端部がスリット３４から抜け出すものであれば、如何なる形状であっても良い。
【００３６】
実施の形態２．
図１０は水道メータ１０１の要部の斜視図である。図１１は止め輪７の係止爪部７１ａ及び被係止部７２ｂを含む領域の拡大図であり、図１２は止め輪７及び固定プレート５を含む領域の拡大図である。図１３は、水道メータ１０１の要部の分解斜視図である。
図１０〜図１３を参照して、固定プレート５を止め輪７内のリブで構成した水道メータ１０１について説明する。なお、図１０〜図１３において、図１〜図５に示す実施の形態１の水道メータ１００と同様の構成部材には同一符号を付して説明を省略する。
【００３７】
受圧板固定リング３の突条３２の外周部に、止め輪７が設けられている。止め輪７は、一端部に係止爪部７１ａを有し、かつ他端部に被係止部７２ａを有する半円弧状の第１部材７ａと、一端部に係止爪部７１ｂを有し、かつ他端部に被係止部７２ｂを有する半円弧状の第２部材７ｂとを組み合わせてなるものである。
【００３８】
突条３２の側周部には６個のスリット３４が穿設されている。第１部材７ａ及び第２部材７ｂの内周部にはそれぞれ３個のリブが凸設されており、このリブによって固定プレート５が構成されている。
【００３９】
次に、このように構成された水道メータ１０１の要部の組立方法について説明する。
まず、図１３に矢印Ｊで示す如く、受圧板固定リング３の内側に表示ユニット４を配置する。
【００４０】
次いで、図１３に矢印Ｋで示す如く、固定プレート５がスリット３４に入るように、受圧板固定リング３の外周部に第１部材７ａ及び第２部材７ｂを配置する。次いで、図１１に示す如く第１部材７ａの係止爪部７１ａを第２部材７ｂの被係止部７２ｂに係止し、同様に第２部材７ｂの係止爪部７１ｂを第１部材７ａの被係止部７２ａに係止する。
【００４１】
第１部材７ａと第２部材７ｂの係止により、図１０に示す如く止め輪７が受圧板固定リング３に固定される。また、図１２に示す如く、固定プレート５が受圧板固定リング３のスリット３４を貫通して表示ユニット４の第１溝部４５に挿入された状態になり、表示ユニット４は受圧板固定リング３に対して軸方向に固定されつつ周方向に回動自在となる。
【００４２】
次に、水道メータ１０１の要部の分解方法について説明する。
まず、第１部材７ａと第２部材７ｂの係止を外して、止め輪７を受圧板固定リング３から取り外す。これにより、固定プレート５が第１溝部４５及びスリット３４から抜き取られて、図１３に矢印Ｌで示す如く、受圧板固定リング３に対して表示ユニット４が着脱自在になる。次いで、表示ユニット４を受圧板固定リング３から取り外す。
【００４３】
以上のように、実施の形態２の水道メータ１０１は、受圧板固定リング３の外周部に設けた止め輪７を備える。固定プレート５は、止め輪７の内周部に凸設したリブにより構成されている。実施の形態１と同様に固定プレート５を用いて表示ユニット４を受圧板固定リング３に固定することで、流水部１と表示ユニット４を簡単に一体に組み立てることができ、かつ簡単に分解することができる。
【００４４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４５】
１  流水部
２  受圧板
３  受圧板固定リング
４  表示ユニット
５  固定プレート
６  カバー
７  止め輪
７ａ  第１部材
７ｂ  第２部材
１１  本体部
１２  流入管
１３  流出管
１４  開口部
１５  雌螺子部
３１  雄螺子部
３２  突条
３３  第２溝部
３４  スリット
４１  ケース
４２  カウンタ
４３  蓋部
４４  窓部
４５  第１溝部
４６  底部
５１ａ，５１ｂ  端部
５２ａ，５２ｂ  間隙
６１  カバー係止爪部
７１ａ，７１ｂ  係止爪部
７２ａ，７２ｂ  被係止部
１００，１０１  水道メータ
【図１】
2016180606.tif 000003
【図２】
2016180606.tif 000004
【図３】
2016180606.tif 000005
【図４】
2016180606.tif 000006
【図５】
2016180606.tif 000007
【図６】
2016180606.tif 000008
【図７】
2016180606.tif 000009
【図８】
2016180606.tif 000010
【図９】
2016180606.tif 000011
【図１０】
2016180606.tif 000012
【図１１】
2016180606.tif 000013
【図１２】
2016180606.tif 000014
【図１３】
2016180606.tif 000015